(57)【要約】【課題】遮音性を高めることができる引き戸を提供する。【解決手段】引き戸は、引き戸本体１と、引き戸本体１の周囲の隙間の全部または一部を塞ぐ閉鎖手段５とをもつ。閉鎖手段５は、引き戸本体１側の部位１ｋに設けられた第１閉鎖要素５１と、相手材３側の部位３ｋに設けられた第２閉鎖要素５２とをもつ。第１閉鎖要素５１は、第１底面５１０と、引き戸本体１の開放方向（Ｓ２方向）に向けて変位するように傾斜する第１傾斜閉鎖面５１２とを有する。第２閉鎖要素５２は、第２底面５２０と、第２底面５２０から離れるにつれて引き戸本体１の閉鎖方向（Ｓ１方向）に変位するように傾斜する第２傾斜閉鎖面５２２とを有する。【選択図】図４
2007023537.tif 000002
【特許請求の範囲】
【請求項１】
相手材に対してスライド可能に設けられスライドに伴い開口部を開放および閉鎖する引き戸本体と、前記引き戸本体と前記相手材との間における隙間の全部または一部を塞ぐ閉鎖手段とを具備する引き戸において、
前記閉鎖手段は、
前記引き戸本体側のうち前記相手材に対向する戸尻側の部分に設けられた第１閉鎖要素と、
前記相手材側に設けられ前記第１閉鎖要素に対面可能な第２閉鎖要素とを具備しており、
前記引き戸本体が前記開口部を閉鎖するとき、前記第１閉鎖要素は前記第２閉鎖要素に密接することを特徴とする引き戸。
【請求項２】
請求項１において、
前記第１閉鎖要素は、前記引き戸本体の戸尻側の表面側に保持された第１底面と、前記引き戸本体の戸尻側における表面の法線方向において前記第１底面から離れるにつれて前記引き戸本体の開放方向に向けて変位するように傾斜する第１傾斜閉鎖面とを有し、
前記第２閉鎖要素は、前記相手材の表面側に保持された第２底面と、前記引き戸本体の戸尻側における表面の前記法線方向と平行な方向において前記第２底面から離れるにつれて前記引き戸本体の閉鎖方向に変位するように傾斜し且つ前記引き戸本体が閉鎖されるとき前記第１傾斜閉鎖面に対面して接触する第２傾斜閉鎖面とを有することを特徴とする引き戸。
【請求項３】
相手材に対してスライド可能に設けられスライドに伴い開口部を開放および閉鎖する引き戸本体と、前記引き戸本体と前記相手材との間における隙間の全部または一部を塞ぐ閉鎖手段とを具備する引き戸において、
前記閉鎖手段は、
前記引き戸本体側のうち前記相手材に対向する部分に設けられた第１閉鎖要素と、
前記相手材側に設けられ前記第１閉鎖要素に対面可能な第２閉鎖要素とを具備しており、
前記第１閉鎖要素は、前記引き戸本体の表面側に保持された第１底面と、前記引き戸本体の表面の法線方向において前記第１底面から離れるにつれて前記引き戸本体の開放方向に向けて変位するように傾斜する第１傾斜閉鎖面とを有し、
前記第２閉鎖要素は、前記相手材の表面側に保持された第２底面と、前記引き戸本体の表面の前記法線方向と平行な方向において前記第２底面から離れるにつれて前記引き戸本体の閉鎖方向に変位するように傾斜し且つ前記引き戸本体が閉鎖されるとき前記第１傾斜閉鎖面に対面して接触する第２傾斜閉鎖面とを有することを特徴とする引き戸。
【請求項４】
請求項１〜３のうちのいずれか一項において、前記相手材は、前記開口部をもつ構造物、または、前記構造物に取り付けられ前記開口部をもつ枠体、または、前記引き戸本体と組をなす相手引き戸本体のいずれかであることを特徴とする引き戸。
【請求項５】
請求項１〜４のうちのいずれか一項において、前記第１閉鎖要素は、前記引き戸本体の開閉方向に沿った断面において三角形状をなしており、更に、前記引き戸本体の表面の前記法線方向において前記第１底面から離れるにつれて前記引き戸本体の閉鎖方向に向けて変位するように傾斜する第１対向傾斜面を有しており、且つ、
前記第２閉鎖要素は、前記引き戸本体の開閉方向に沿った断面において三角形状をなしており、更に、前記引き戸本体の表面の前記法線方向と平行な方向において第２底面から離れるにつれて前記引き戸本体の開放方向に向けて変位するように傾斜する第２対向傾斜面を有していることを特徴とする引き戸。
【請求項６】
請求項１〜５のうちのいずれか一項において、前記第１閉鎖要素および前記第２閉鎖要素は軟質材料を基材として形成されていることを特徴とする引き戸。
【請求項７】
請求項１〜５のうちのいずれか一項において、前記第１閉鎖要素および前記第２閉鎖要素は、高比重微小物と軟質材料との混合物を基材として形成されていることを特徴とする引き戸。
【請求項８】
請求項１〜７のうちのいずれか一項において、前記引き戸本体は、前記引き戸本体の閉鎖方向の端側に形成された戸先端面と、前記引き戸本体の開放方向の端側に形成された戸尻端面とを有しており、更に、
前記引き戸本体は、前記引き戸本体の表面において開口する表面開口と、前記戸尻端面において開口する戸尻開口と、前記戸尻開口と前記表面開口とを引き戸本体の内部において連通させる連通路とを有することを特徴とする引き戸。
【請求項９】
請求項１〜８のうちのいずれか一項において、前記引き戸本体の底端面と前記相手材との間における隙間を狭くするか無しとする底端面閉鎖手段が設けられており、
前記底端面閉鎖手段は、退避位置と遮音位置とに姿勢が切り替え可能な底端面閉鎖部材と、前記引き戸本体および前記相手材のうちのいずれか一方に設けられた第１係合部と、前記引き戸本体および前記相手材のうちのいずれか他方において前記引き戸本体のスライドにより前記第１係合部に対して係合可能に設けられ、係合に伴い前記退避位置と前記遮音位置との間で前記底端面閉鎖部材の姿勢を切り替える第１被係合部とを備えていることを特徴とする引き戸。
【請求項１０】
請求項１〜９のうちのいずれか一項において、前記引き戸本体の天井端面と前記相手材との間における隙間を狭くするか無しとする天井端面閉鎖手段が設けられており、
前記天井端面閉鎖手段は、退避位置と遮音位置とに姿勢が切り替え可能な天井端面閉鎖部材と、前記引き戸本体および前記相手材のうちのいずれか一方に設けられた第２係合部と、前記引き戸本体および前記相手材のうちのいずれか他方において前記引き戸本体のスライドにより前記第２係合部に対して係合可能に設けられ、係合に伴い前記退避位置と前記遮音位置との間で前記天井端面閉鎖部材の姿勢を切り替える第２被係合部とを備えていることを特徴とする引き戸。
【発明の詳細な説明】
【技術分野】
【０００１】
本発明は遮音性を高めた引き戸に関する。本発明は例えばトイレ室、勉強部屋、寝室、客室、居間、業務室、オーディオ室、コンピュータ室等といった遮音性を特に要請される家庭用、業務用の各引き戸に適用できる。
【背景技術】
【０００２】
近年、引き戸では、遮音性を更に高めることが要請されつつある。そこで、特許文献１には、引き戸本体の底面に可動式の閉鎖部材を設け、引き戸本体を閉鎖させるとき、閉鎖部材を可動させて引き戸本体の底面と床面との間における隙間を閉鎖して遮音性を高める引き戸が開示されている。このものでは、引き戸本体の閉鎖時における遮音性が高まる。
【０００３】
また、近年（２００３年７月）、ホルムアルデヒド等の有害物質による室内におけるシックハウス症候群に対応するため建築基準法が改正され、換気設備による室内の換気性を確保すること、あるいは、ドアにおいて所定の有効開口面積を確保すること（非特許文献１参照）が要請されている。但し、通常の引き戸については、その四周に充分な隙間があるため、換気性は充分であるが、遮音性を高めた特殊な引き戸については、換気性が充分ではない場合が多いため、換気性を充分に確保すること（所定の有効開口面積を確保すること）が好ましい。
【特許文献１】実公平７−４８９４４号公報
【非特許文献１】国土交通省住宅局建築指導課、国土交通省住宅局住宅生産課、国土交通省国土技術政策総合研究所、独立行政法人建築研究所、日本建築行政会議、シックハウス対策マニュアル編集委員会、「改正建築基準法に対応した建築物のシックハウス対策マニュアル−建築基準法・住宅性能表示制度の解説及び設計施工マニュアル−」、第１版、工学図書株式会社、平成１５年５月１日、ｐ．２１１
【発明の開示】
【発明が解決しようとする課題】
【０００４】
上記したように特許文献１に係る引き戸によれば、遮音性は対策されているものの、必ずしも充分ではない。また、スライドさせて開閉する引き戸本体においても換気性を向上させるべく有効開口面積を増加させる構造を採用すると、換気性能が高くなるものの引き戸本体の遮音性が低減されるため、遮音性を更に高めることが要請されている。
【０００５】
本発明は上記した実情に鑑みてなされたものであり、遮音性を高めることができる引き戸を提供することを課題とするにある。
【課題を解決するための手段】
【０００６】
第１の発明に係る引き戸は、相手材に対してスライド可能に設けられスライドに伴い開口部を開放および閉鎖する引き戸本体と、前記引き戸本体と前記相手材との間における隙間の全部または一部を塞ぐ閉鎖手段とを具備する引き戸において、前記閉鎖手段は、前記引き戸本体側のうち前記相手材に対向する戸尻側の部分に設けられた第１閉鎖要素と、前記相手材側に設けられ前記第１閉鎖要素に対面可能な第２閉鎖要素とを具備しており、前記引き戸本体が前記開口部を閉鎖するとき、前記第１閉鎖要素は前記第２閉鎖要素に密接することを特徴とするものである。
【０００７】
第１の発明に係る引き戸によれば、引き戸本体が開口部を閉鎖するとき、引き戸本体の相手材に対向する戸尻側の部分に設けられた第１閉鎖要素は、相手材に設けられた第２閉鎖要素に当たって密接する。この密接により、引き戸本体の相手材に対向する戸尻側と相手材との間における隙間が狭くなるか、消失するので、引き戸本体と相手材との間における遮音性が向上する。
【０００８】
また、第１の発明に係る引き戸において、前記第１閉鎖要素は、前記引き戸本体の戸尻側の表面側に保持された第１底面と、前記引き戸本体の戸尻側における表面の法線方向において前記第１底面から離れるにつれて前記引き戸本体の開放方向に向けて変位するように傾斜する第１傾斜閉鎖面とを有し、前記第２閉鎖要素は、前記相手材の表面側に保持された第２底面と、前記引き戸本体の戸尻側における表面の前記法線方向と平行な方向において前記第２底面から離れるにつれて前記引き戸本体の閉鎖方向に変位するように傾斜し且つ前記引き戸本体が閉鎖されるとき前記第１傾斜閉鎖面に対面して接触する第２傾斜閉鎖面とを有することは好ましい。
【０００９】
この引き戸によれば、第１閉鎖要素の第１傾斜閉鎖面は、引き戸本体の戸尻側における表面の法線方向において第１閉鎖要素の第１底面から離れるにつれて、引き戸本体の開放方向に向けて変位するように傾斜している。また、第２閉鎖要素の第２傾斜閉鎖面は、引き戸本体の戸尻側における表面の法線方向と平行な方向において第２閉鎖要素の第２底面から離れるにつれて、引き戸本体の閉鎖方向に変位するように傾斜している。
【００１０】
そして、引き戸本体がスライドして閉鎖されるとき、第１閉鎖要素の第１傾斜閉鎖面は第２閉鎖要素の第２傾斜閉鎖面に対面して密接する。このため、後述する図４に例示するように、第１傾斜閉鎖面には第１分力Ｆ１が作用すると共に、第２傾斜閉鎖面には第２分力Ｆ２が作用する。従って、第１閉鎖要素の第１傾斜閉鎖面が第２閉鎖要素の第２傾斜閉鎖面に当たって密接したとしても、第１閉鎖要素の第１底面を引き戸本体（戸尻側）から剥離させる力は低減される。同様に、第２閉鎖要素の第２底面を相手材から剥離させる力は低減される。この結果、使用期間が長期にわたったとしても、第１閉鎖要素の第１底面および第２閉鎖要素の第２底面が剥離することは抑制される。
【００１１】
第２の発明に係る引き戸は、相手材に対してスライド可能に設けられスライドに伴い開口部を開放および閉鎖する引き戸本体と、前記引き戸本体と前記相手材との間における隙間の全部または一部を塞ぐ閉鎖手段とを具備する引き戸において、前記閉鎖手段は、前記引き戸本体側のうち前記相手材に対向する部分に設けられた第１閉鎖要素と、前記相手材側に設けられ前記第１閉鎖要素に対面可能な第２閉鎖要素とを具備しており、前記第１閉鎖要素は、前記引き戸本体の表面側に保持された第１底面と、前記引き戸本体の表面の法線方向において前記第１底面から離れるにつれて前記引き戸本体の開放方向に向けて変位するように傾斜する第１傾斜閉鎖面とを有し、前記第２閉鎖要素は、前記相手材の表面側に保持された第２底面と、前記引き戸本体の表面の前記法線方向と平行な方向において前記第２底面から離れるにつれて前記引き戸本体の閉鎖方向に変位するように傾斜し且つ前記引き戸本体が閉鎖されるとき前記第１傾斜閉鎖面に対面して接触する第２傾斜閉鎖面とを有することを特徴とするものである。
【００１２】
第２の発明に係る引き戸によれば、第１閉鎖要素の第１傾斜閉鎖面は、引き戸本体の表面の法線方向において第１閉鎖要素の第１底面から離れるにつれて、引き戸本体の開放方向に向けて変位するように傾斜している。また、第２閉鎖要素の第２傾斜閉鎖面は引き戸本体の表面の法線方向と平行な方向において第２閉鎖要素の第２底面から離れるにつれて、引き戸本体の閉鎖方向に変位するように傾斜している。
【００１３】
そして、引き戸本体がスライドして閉鎖されるとき、第１閉鎖要素の第１傾斜閉鎖面は第２閉鎖要素の第２傾斜閉鎖面に当たって接触する。この接触により引き戸本体と相手材との隙間が狭くなるか、消失するので、引き戸本体と相手材との隙間における遮音性が向上する。
【００１４】
ここで、引き戸本体が閉鎖されるとき、第１閉鎖要素の第１傾斜閉鎖面は第２閉鎖要素の第２傾斜閉鎖面に対面して接触する。このため、後述する図４に例示するように、第１傾斜閉鎖面には第１分力Ｆ１が作用すると共に、第２傾斜閉鎖面には第２分力Ｆ２が作用する。従って、第１閉鎖要素の第１傾斜閉鎖面は第２閉鎖要素の第２傾斜閉鎖面に当たって接触したとしても、第１閉鎖要素の第１底面を引き戸本体から剥離させる力は低減される。同様に、第２閉鎖要素の第２底面を相手材から剥離させる力は低減される。この結果、使用期間が長期にわたったとしても、第１閉鎖要素の第１底面および第２閉鎖要素の第２底面が剥離することは抑制される。
【発明の効果】
【００１５】
本発明によれば、引き戸本体と相手材との隙間における遮音性を高めることができる。また、本発明によれば、引き戸本体が開口部を閉鎖するとき（引き戸本体が閉鎖されるとき）、第１閉鎖要素の第１傾斜閉鎖面は第２閉鎖要素の第２傾斜閉鎖面に当たって密接又は接触したとしても、第１閉鎖要素の第１底面を引き戸本体から剥離させる力は低減される。同様に、第２閉鎖要素の第２底面を相手材から剥離させる力は低減される。この結果、使用期間が長期にわたったとしても、第１閉鎖要素の第１底面および第２閉鎖要素の第２底面が剥離することは抑制される。第１閉鎖要素および第２閉鎖要素の耐久性が向上し、引き戸本体と相手材との隙間における遮音性が長期にわたり向上する。
【発明を実施するための最良の形態】
【００１６】
本発明の引き戸としては、戸車式引き戸、上吊式引き戸、ふすま、障子を例示することができる。本発明によれば、相手材としては、開口部をもつ構造物、または、構造物に取り付けられ開口部をもつ枠体、または、引き戸本体と組をなす相手引き戸本体のいずれかである形態を例示することができる。構造物としては、建築物、車両、船体などが例示される。枠体としては、四角枠状でも良いし、コの字形状等のように切欠部を一部にもつ枠体でも良い。
【００１７】
本発明によれば、第１閉鎖要素としては、引き戸本体の開閉方向に沿った断面において三角形状をなしている形態を例示することができる。この場合、第１閉鎖要素としては、引き戸本体（又はその戸尻側）の表面の法線方向において第１閉鎖要素の第１底面から離れるにつれて引き戸本体の閉鎖方向に向けて変位するように傾斜する第１対向傾斜面を有している形態を例示することができる。また、第２閉鎖要素は、引き戸本体の開閉方向に沿った断面において三角形状をなしている形態を例示することができる。この場合、第２閉鎖要素としては、引き戸本体（又はその戸尻側）の表面の法線方向と平行な方向において第２閉鎖要素の第２底面から離れるにつれて引き戸本体の開放方向に向けて変位するように傾斜する第２対向傾斜面を有している形態を例示することができる。
【００１８】
本発明によれば、第１閉鎖要素および第２閉鎖要素としては、軟質材料を基材として形成されている形態を例示することができる。軟質材料としてはゴム系材料、樹脂系材料（発泡樹脂系材料を含む）の少なくとも１種を例示できる。第１閉鎖要素および第２閉鎖要素としては、高比重微小物と軟質材料との混合物を基材として形成されている形態を例示することができる。この場合、低周波領域の騒音に対する遮音性を高めることができる。高比重微小物の材質としては軟質材料よりも比重が高いものであれば良く、鉄等の金属、砂やアルミナやシリカなどの耐火物が例示される。高比重微小物の形態としては粉末状、粒状、繊維状などを例示することができる。
【００１９】
本発明によれば、引き戸本体は、引き戸本体の閉鎖方向の端側に形成された戸先端面と、引き戸本体の開放方向の端側に形成された戸尻端面とを有している形態を例示することができる。更に、引き戸本体は、引き戸本体の表面において開口する表面開口と、戸尻端面において開口する戸尻開口と、戸尻開口と表面開口とを引き戸本体の内部において連通させる連通路とを有する形態を例示することができる。このように引き戸本体の戸尻端面に形成されている戸尻開口と、引き戸本体の内部において連通させる連通路とを利用すれば、引き戸本体の内外換気性を確保しつつ、引き戸本体の表面において開口する表面開口の開口面積を低減させることができる。故に、引き戸本体の表面における意匠選択の自由性が確保される。
【００２０】
また本発明によれば、引き戸本体の底端面と相手材との間における隙間を狭くするか無しとする底端面閉鎖手段が設けられており、底端面閉鎖手段は、退避位置と遮音位置とに姿勢が切り替え可能な底端面閉鎖部材と、引き戸本体および相手材のうちのいずれか一方に設けられた第１係合部と、引き戸本体および相手材のうちのいずれか他方において引き戸本体のスライドにより第１係合部に対して係合可能に設けられ、係合に伴い退避位置と遮音位置との間で底端面閉鎖部材の姿勢を切り替える第１被係合部とを備えている形態を例示することができる。この場合、引き戸本体の閉鎖により第１係合部と第１被係合部とが係合するため、底端面閉鎖部材を退避位置から遮音位置に切り替える。これにより引き戸本体が閉鎖されている状態において、引き戸本体の底端面と相手材との間における隙間を狭くするか無しとする。従って、引き戸本体の底端面と相手材との間における隙間における遮音性が向上する。底端面閉鎖手段について、引き戸本体の開放により第１係合部と第１被係合部とが引き戸本体の閉鎖時の逆方向から係合する場合には、底端面閉鎖部材を遮音位置から退避位置に切り替えることが好ましい。退避位置では、引き戸本体と相手材との間に隙間が形成されるので、引き戸のスライドが容易となる。
【００２１】
更に本発明によれば、引き戸本体の天井端面と相手材との間における隙間を狭くするか無しとする天井端面閉鎖手段が設けられており、天井端面閉鎖手段は、退避位置と遮音位置とに姿勢が切り替え可能な天井端面閉鎖部材と、引き戸本体および相手材のうちのいずれか一方に設けられた第２係合部と、引き戸本体および相手材のうちのいずれか他方において引き戸本体のスライドにより第２係合部に対して係合可能に設けられ、係合に伴い退避位置と遮音位置との間で天井端面閉鎖部材の姿勢を切り替える第２被係合部とを備えている形態を例示することができる。この場合、引き戸本体の閉鎖により第２係合部と第２被係合部とが係合するため、天井端面閉鎖部材を退避位置から遮音位置に切り替える。これにより引き戸本体が閉鎖されている状態において、引き戸本体の天井端面と相手材との間における隙間を狭くするか無しとする。従って、引き戸本体の天井端面と相手材との間における隙間における遮音性が向上する。天井端面閉鎖手段について、引き戸本体の開放により第２係合部と第２被係合部とが引き戸本体の閉鎖時の逆方向から係合する場合には、天井端面閉鎖部材を遮音位置から退避位置に切り替えることが好ましい。退避位置では、引き戸本体と相手材との間に隙間が形成されるので、引き戸のスライドが容易となる。
【実施例１】
【００２２】
以下、本発明を具体化した実施例１について図１〜図８を参照して具体的に説明する。図の複雑化を避けるため、断面図においてハッチングを省略している部分がある。本実施例に係る戸車式の引き戸は、トイレ室、寝室等のように遮音性の要請が高い室の出入口を開閉するためのものである。引き戸は、引き戸本体１と、建築物等の構造物に取り付けられた相手材としての枠体３とを有する。枠体３は引き戸本体１で閉鎖される開口部３０を有する。引き戸本体１は、枠体３に対してスライド可能に設けられており、スライドに伴い枠体３の開口部３０を開放および閉鎖する。
【００２３】
図１に示すように、引き戸本体１は、上部側に第１レール金具１１を有するとともに、下部側に第２レール金具１２を有する。第１レール金具１１、第２レール金具１２は、引き戸本体１の厚み方向（矢印Ｔ方向）において中央ではなく、厚み方向（矢印Ｔ方向）において偏芯した位置に設けられている。後述するように底端面閉鎖手段６および天井端面閉鎖手段７の構成部品が引き戸本体１の内部に設けられているためである。
【００２４】
図１に示すように、引き戸本体１は、第１表面１４と、第１表面１４に対向する第２表面１５と、天井端面１６と、天井端面１６に対向する底端面１７とを有する。引き戸本体１の第１表面１４には、第１表面開口２１および第２表面開口２２が形成されている。第１表面開口２１は第１表面１４の上部に形成されている。第２表面開口２２は第１表面１４の下部に形成されている。引き戸本体１の天井端面１６には、天井端面開口２４が形成されている。引き戸本体１の底端面１７には底端面開口２５が形成されている。
【００２５】
このような構造が採用されている結果、図１に示すように、引き戸本体１の内部では、第１表面開口２１を利用する通気路２７ａ、第２表面開口２２を利用する通気路２７ｂが形成され、更に、通気路２７ａおよび通気路２７ｂを連通させる通気路２７ｃが引き戸本体１の内部に形成されている。これにより引き戸本体１の第１表面１４側の第１空間４１と第２表面１５側の第２空間４２との間における換気性が確保されている。
【００２６】
本実施例によれば、図２に示すように、引き戸本体１は、引き戸本体１の閉鎖方向（矢印Ｓ１方向）の端側に形成された戸先端面４３と、引き戸本体１の開放方向（矢印Ｓ２方向）の端側に形成された戸尻端面４４とを有する。更に、引き戸本体１は、戸尻端面４４において開口する戸尻開口４５と、戸尻開口４５と第１表面開口２１および第２表面開口２２とを引き戸本体１の内部において連通させる連通路４６とを有する。これにより引き戸本体１の第１表面１４側の第１空間４１と第２表面１５側の第２空間４２との間における換気性が更に確保される。
【００２７】
さて、図２〜図４に示すように、引き戸本体１の厚み方向において引き戸本体１と枠体３（相手材）との間における隙間１００を塞ぐ閉鎖手段５が設けられている。閉鎖手段５は、引き戸本体１側のうち枠体３（相手材）側に対向する部位１ｋに設けられた第１閉鎖要素５１と、枠体３（相手材）側の部位３ｋに設けられた第２閉鎖要素５２とを備えている。第１閉鎖要素５１および第２閉鎖要素５２は引き戸本体１の高さ方向に沿って延設されている。部位１ｋは、引き戸本体１の戸尻側（引き戸本体１の開放方向（矢印Ｓ２方向）の端部）における第１表面１４側に位置しており、部位３ｋは、枠体３のうち引き戸本体１の第１表面１４に対面する表面３ｎ側に位置している。引き戸本体１が閉鎖方向（矢印Ｓ１方向）にスライドして開口部３０が閉鎖されると、第２閉鎖要素５２と第１閉鎖要素５１とは互いに接触可能又は対面可能とされている。
【００２８】
図３に示すように、第１閉鎖要素５１は、引き戸本体１の部位１ｋの第１表面１４側に保持された第１底面５１０と、第１傾斜閉鎖面５１２と、第１対向傾斜面５１３とを有する。第１傾斜閉鎖面５１２は、引き戸本体１（部位１ｋ）の第１表面１４の法線方向（矢印Ｐ方向）において第１底面５１０から離れるにつれて引き戸本体１の開放方向（矢印Ｓ２方向）に向けて変位するように直状に傾斜している。第１対向傾斜面５１３は、引き戸本体１（部位１ｋ）の第１表面１４の法線方向（矢印Ｐ方向）において第１底面５１０から離れるにつれて、引き戸本体１の閉鎖方向（矢印Ｓ１方向）に向けて変位するように直状に傾斜している。第１閉鎖要素５１は、引き戸本体１の閉鎖方向（矢印Ｓ１方向）および開放方向（矢印Ｓ２方向）に沿った断面において、頂部５１ｘをもつ三角形状（ほぼ正三角形状）をなしている。
【００２９】
図３に示すように、第２閉鎖要素５２は、枠体３の部位３ｋの表面３ｎ側に保持された第２底面５２０と、第２傾斜閉鎖面５２２と、第２対向傾斜面５２３とを有する。第２傾斜閉鎖面５２２は、引き戸本体１（部位１ｋ）の第１表面１４の法線方向（矢印Ｐ方向）と平行な方向において第２底面５２０から離れるにつれて、引き戸本体１の閉鎖方向（矢印Ｓ１方向）に変位するように直状に傾斜する。第２対向傾斜面５２３は、引き戸本体１（部位１ｋ）の第１表面１４の法線方向（矢印Ｐ方向）において第２底面５２０から離れるにつれて引き戸本体１の開放方向（矢印Ｓ２方向）に向けて変位するように直状に傾斜する。第２閉鎖要素５２は、引き戸本体１の閉鎖方向（矢印Ｓ１方向）および開放方向（矢印Ｓ２方向）に沿った断面において頂部５２ｘをもつ三角形状（ほぼ正三角形状）をなしている。
【００３０】
引き戸本体１が矢印Ｓ１方向にスライドして閉鎖されるとき、図４に示すように、第１閉鎖要素５１の第１傾斜閉鎖面５１２が第２閉鎖要素５２の第２傾斜閉鎖面５２２に対面して接触する。また、引き戸本体１が矢印Ｓ１方向にスライドされて閉鎖されたときには、図２に示すように、引き戸本体１の戸先端面４３の角部４３ｃは、枠体３に設けられた第３閉鎖要素５３に圧接し、シールされる。
【００３１】
ここで、第１閉鎖要素５１、第２閉鎖要素５２および第３閉鎖要素５３は、軟質材料を基材として形成され、弾性変形可能とされている。具体的には、第１閉鎖要素５１、第２閉鎖要素５２および第３閉鎖要素５３は、高比重微小物（例えば鉄粉等）と軟質材料（例えばゴム材料）との混合物を基材として形成されている。この場合、高・中周波領域の騒音ばかりか、低周波領域の騒音に対する遮音性を高めることができる。
【００３２】
以上説明したように本実施例によれば、図３および図４に示すように、第１閉鎖要素５１の第１傾斜閉鎖面５１２は、引き戸本体１（部位１ｋ）の第１表面１４の法線方向（矢印Ｐ方向）において第１閉鎖要素５１の第１底面５１０から離れるにつれて、引き戸本体１の開放方向（矢印Ｓ２方向）に向けて変位するように傾斜している。また、第２閉鎖要素５２の第２傾斜閉鎖面５２２は、引き戸本体１（部位１ｋ）の第１表面１４の法線方向（矢印Ｐ方向）と平行な方向において第２閉鎖要素５２の第２底面５２０から離れるにつれて、引き戸本体１の閉鎖方向（矢印Ｓ１方向）に変位するように傾斜している。そして、引き戸本体１が矢印Ｓ１方向にスライドされて閉鎖されるとき、図４に示すように、第１閉鎖要素５１の第１傾斜閉鎖面５１２は第２閉鎖要素５２の第２傾斜閉鎖面５２２に当たって接触又は密接する。この接触又は密接により引き戸本体１と枠体３（相手材）との隙間１００が狭くなるか、消失化するので、引き戸本体１と枠体３（相手材）との隙間１００における遮音性が向上する。
【００３３】
ここで、図３及び図４に示すように、第１傾斜閉鎖面５１２および第２傾斜閉鎖面５２２の双方は、引き戸本体１（部位１ｋ）の表面の法線方向（矢印Ｐ方向）に対して傾斜している。このため第１閉鎖要素５１の第１傾斜閉鎖面５１２には第１分力Ｆ１が作用すると共に、第２閉鎖要素５２の第２傾斜閉鎖面５２２には第２分力Ｆ２が作用する。第１分力Ｆ１は第１閉鎖要素５１の第１底面５１０を引き戸本体１の部位１ｋの第１表面１４に圧着させる方向に作用する。また、第２分力Ｆ２は第２閉鎖要素５２の第２底面５２０を枠体３の部位３ｋの表面３ｎに圧着させる方向に作用する。従って、第１閉鎖要素５１の第１傾斜閉鎖面５１２は第２閉鎖要素５２の第２傾斜閉鎖面５２２に当たって接触または密接したとしても、第１閉鎖要素５１の第１底面５１０を引き戸本体１の部位１ｋから剥離させる力は低減される。同様に、第２閉鎖要素５２の第２底面５２０を枠体３（相手材）の部位３ｋから剥離させる力は低減される。この結果、使用期間が長期にわたったとしても、第１閉鎖要素５１の第１底面５１０および第２閉鎖要素５２の第２底面５２０が剥離することは抑制される。故に、第１閉鎖要素５１および第２閉鎖要素５２の耐久性が向上し、引き戸本体１と枠体３（相手材）との隙間１００における遮音性が長期にわたり確保される。
【００３４】
更に本実施例によれば、図５に示すように、引き戸本体１の底端面１７と枠体３の床面Ｆとの間における隙間１０２を塞ぐ底端面閉鎖手段６が設けられている。底端面閉鎖手段６は、退避位置と遮音位置とに姿勢が切り替え可能となるように設けられた底端面閉鎖部材６０と、枠体３（相手材）の床面Ｆ側に固定されたピン状をなす第１係合部６１と、引き戸本体１の底側の固定枠１ｍに設けられたカム状をなす第１被係合部６２とを有する。底端面閉鎖部材６０は、引き戸本体１の底側において矢印Ｙ１およびＹ２方向において昇降可能に設けられており、下端面６０ｕをもつ。
【００３５】
第１被係合部６２は、引き戸本体１において第１回動軸６３を中心として矢印Ａ１方向及び矢印Ａ２方向に回動可能に枢支されている。第１被係合部６２は、底端面閉鎖部材６０の下端面６０ｕを枠体３の床面ＦからΔＨ１持ち上げるための持ち上げ部６４と、第１係合部６１に衝突する第１衝突部６５と、底端面閉鎖部材６０を支える第１支え部６６とを有する。引き戸本体１が開放されているとき、第１被係合部６２は図５に示す姿勢とされており、この結果、図５に示すように、第１被係合部６２の第１持ち上げ部６４は底端面閉鎖部材６０を矢印Ｙ１方向に持ち上げており、底端面閉鎖部材６０の下端面６０ｕと枠体３の床面Ｆとの間にΔＨ１の空間を形成している。ΔＨ１の空間により、引き戸本体１の開閉方向へのスライドが容易となる。
【００３６】
開放されている状態の引き戸本体１が矢印Ｓ１方向にスライドされて開口部３０が閉鎖されると、引き戸本体１の第１被係合部６２の第１衝突部６５が、枠体３の床面Ｆ側に固定されたピン状の第１係合部６１の部位６１ａに衝突する。そして、図６に示すように、第１被係合部６２が第１回動軸６３を中心として矢印Ａ１方向に回動し、第１持ち上げ部６４が底端面閉鎖部材６０を持ち上げている状態が解除される。従って図６に示すように、底端面閉鎖部材６０が重力により矢印Ｙ２方向に下降し、底端面閉鎖部材６０が第１支え部６６により支えられる。この状態では、図６に示すように、引き戸本体１の底端面１７と枠体３の床面Ｆとの隙間１０２が塞がれる。これにより引き戸本体１が開口部３０を閉鎖したとき、引き戸本体１の底端面１７における遮音性が確保される。
【００３７】
また閉鎖されている引き戸本体１が図６に示す状態から、矢印Ｓ２方向にスライドされて開口部３０が開放されると、引き戸本体１と共に第１被係合部６２が矢印Ｓ２方向に移動する。故に、引き戸本体１の第１被係合部６２の衝突部６５が枠体３の床面Ｆ側に固定されたピン状の第１係合部６１の部位６１ｃに衝突する。そして、図５に示すように、第１被係合部６２が第１回動軸６３を中心として矢印Ａ２方向に回動し、この結果、第１被係合部６２の持ち上げ部６４が底端面閉鎖部材６０を持ち上げることになる。この場合、図５に示すように、底端面閉鎖部材６０の下端面６０ｕと枠体３の床面Ｆとの間にΔＨ１の空間が形成される。ΔＨ１の空間により、引き戸本体１の開閉方向へのスライドが容易となる。
【００３８】
更に本実施例によれば、図７及び図８に示すように、引き戸本体１の天井端面１６と枠体３の天井部３ｒとの間における隙間１０４を塞ぐ天井端面閉鎖手段７が設けられている。天井端面閉鎖手段７は、退避位置と遮音位置とに姿勢が切り替え可能となるように設けられた天井端面閉鎖部材７０と、引き戸本体１の天井端面１６側に上向きに固定されたピン状をなす第２係合部６１Ｂと、枠体３の天井部３ｒに第２回動軸６３Ｂにより回動可能に設けられたカム状をなす第２被係合部６２Ｂとを有する。天井端面閉鎖部材７０は、枠体３の天井部３ｒにおいて矢印Ｙ１およびＹ２方向において昇降可能に設けられている。
【００３９】
第２被係合部６２Ｂは、第２回動軸６３Ｂを中心として矢印Ａ１’方向及び矢印Ａ２’方向に回動可能に枠体３の天井部３ｒ側に枢支されている。第２被係合部６２Ｂは、天井端面閉鎖部材７０の下端面７０ｕを引き戸本体１の天井端面１６からΔＨ２持ち上げる第２持ち上げ部６４Ｂと、第２係合部６１Ｂに衝突可能な第２衝突部６５Ｂと、天井端面閉鎖部材７０を支える第２支え部６６Ｂとを有する。
【００４０】
引き戸本体１が開放されているときには、第２被係合部６２Ｂは図７に示す姿勢とされている。この状態では、第２被係合部６２Ｂの第２持ち上げ部６４Ｂは天井端面閉鎖部材７０を矢印Ｙ１方向に持ち上げており、天井端面閉鎖部材７０の下端面７０ｕと引き戸本体１の天井端面１６との間にΔＨ２の空間を形成している。ΔＨ２の空間により、引き戸本体１の開閉方向へのスライドが容易となる。
【００４１】
引き戸本体１が矢印Ｓ１方向にスライドされて閉鎖されると、引き戸本体１がスライドされると共に、引き戸本体１に固定されているピン状の第２係合部６１Ｂが矢印Ｓ１方向にスライドされるので、引き戸本体１の第２係合部６１Ｂの部位６１ｃが第２被係合部６２Ｂの第２衝突部６５Ｂに衝突する。そして、第２被係合部６２Ｂが第２回動軸６３Ｂを中心として矢印Ａ１’方向に回動し、第２持ち上げ部６４Ｂが天井端面閉鎖部材７０を持ち上げている状態が解除される。従って図８に示すように、天井端面閉鎖部材７０が重力により矢印Ｙ２方向に下降し、引き戸本体１の天井端面１６と枠体３の天井部３ｒとの隙間１０４が塞がれる。これにより引き戸本体１が開口部３０を閉鎖したとき、引き戸本体１の天井端面１６の遮音性が確保される。
【００４２】
また閉鎖されている状態の引き戸本体１（基本的には図８に示す状態）を矢印Ｓ２方向にスライドして開口部３０を開放させるときには、引き戸本体１と共にピン状の第２係合部６１Ｂが矢印Ｓ２方向にスライドする。従って、ピン状の第２係合部６１Ｂの部位６１ｄが引き戸本体１の第２被係合部６２Ｂの第２衝突部６５Ｂに衝突する。そして、第２被係合部６２Ｂが第２回動軸６３Ｂを中心として矢印Ａ２’方向に回動する。この結果、図７に示すように、第２被係合部６２Ｂの第２持ち上げ部６４Ｂが天井面閉鎖部材７０を持ち上げることになる。この場合、天井端面閉鎖部材７０の下端面７０ｕと引き戸本体１の天井端面１６との間にΔＨ２の空間が形成される。ΔＨ２の空間により、引き戸本体１の開閉方向へのスライドが容易となる。
【実施例２】
【００４３】
以下、本発明を具体化した実施例２について図９を参照して具体的に説明する。図９は複雑化を避けるためハッチングを省略している。本実施例は図１、図５〜図８を準用する。本実施例においても、引き戸本体１と枠体３との間に形成されている隙間１００を塞ぐ閉鎖手段５が設けられている。閉鎖手段５は、引き戸本体１側のうち枠体３（相手材）側に対向する部位１ｋに設けられた第１閉鎖要素５１Ｂと、枠体３（相手材）側の部位３ｋに設けられた第２閉鎖要素５２Ｂとを備えている。引き戸本体１が閉鎖方向（矢印Ｓ１方向）にスライドして閉鎖されるにつれて、第２閉鎖要素５２Ｂと第１閉鎖要素５１Ｂとは互いに接触可能または対面可能とされている。
【００４４】
図９は、引き戸本体１の閉鎖方向（矢印Ｓ１方向）および開放方向（矢印Ｓ２方向）に沿った断面を示す。図９において、第１閉鎖要素５１Ｂは、異形四角形状（台形状）をなしており、引き戸本体１の部位１ｋの第１表面１４側に保持された第１底面５１０と、第１傾斜閉鎖面５１２と、第１対向傾斜面５１３とを有する。第１傾斜閉鎖面５１２は、引き戸本体１（部位１ｋ）の第１表面１４の法線方向（矢印Ｐ方向）において第１底面５１０から離れるにつれて引き戸本体１の開放方向（矢印Ｓ２方向）に向けて変位するように傾斜している。第１対向傾斜面５１３は、引き戸本体１（部位１ｋ）の第１表面１４の法線方向（矢印Ｐ方向）に沿っている。
【００４５】
図９に示すように、第２閉鎖要素５２Ｂは、異形四角形状（台形状）をなしており、枠体３の部位３ｋの表面３ｎ側に保持された第２底面５２０と、第２傾斜閉鎖面５２２と、第２対向傾斜面５２３とを有する。第２傾斜閉鎖面５２２は、引き戸本体１（部位１ｋ）の第１表面１４の法線方向（矢印Ｐ方向）と平行な方向において第２底面５２０から離れるにつれて、引き戸本体１の閉鎖方向（矢印Ｓ１方向）に変位するように傾斜する。第２対向傾斜面５２３は、引き戸本体１（部位１ｋ）の第１表面１４の法線方向（矢印Ｐ方向）に沿っている。
【００４６】
本実施例においても、引き戸本体１が矢印Ｓ１方向にスライドされて閉鎖されるとき、図９に示すように、第１閉鎖要素５１Ｂの第１傾斜閉鎖面５１２は第２閉鎖要素５２Ｂの第２傾斜閉鎖面５２２に当たって接触又は密接する。この接触又は密接により引き戸本体１の戸尻側と枠体３（相手材）との隙間１００が狭くなるか消失するので、引き戸本体１と枠体３（相手材）の隙間１００における遮音性が向上する。
【００４７】
ここで、図９に示すように、第１傾斜閉鎖面５１２および第２傾斜閉鎖面５２２の双方は、引き戸本体１（部位１ｋ）の第１表面１４の法線方向（矢印Ｐ方向）に対して傾斜しているため、実施例１の場合と同様に、第１閉鎖要素５１Ｂの第１傾斜閉鎖面５１２には第１分力Ｆ１が作用すると共に、第２閉鎖要素５２Ｂの第２傾斜閉鎖面５２２には第２分力Ｆ２が作用する。第１分力Ｆ１は第１閉鎖要素５１Ｂの第１底面５１０を引き戸本体１の部位１ｋに圧着させる方向に作用する。また第２分力Ｆ２は第２閉鎖要素５２Ｂの第２底面５２０を枠体３の部位３ｋに圧着させる方向に作用する。従って、第１閉鎖要素５１Ｂの第１傾斜閉鎖面５１２は第２閉鎖要素５２Ｂの第２傾斜閉鎖面５２２に当たって接触又は密接したとしても、第１閉鎖要素５１Ｂの第１底面５１０を引き戸本体１の部位１ｋから剥離させる力は低減される。同様に、第２閉鎖要素５２Ｂの第２底面５２０を枠体３（相手材）の部位３ｋから剥離させる力は低減される。この結果、使用期間が長期にわたったとしても、第１閉鎖要素５１Ｂの第１底面５１０および第２閉鎖要素５２Ｂの第２底面５２０が剥離することは抑制される。第１閉鎖要素５１Ｂおよび第２閉鎖要素５２Ｂの耐久性が向上し、引き戸本体１と枠体３（相手材）との隙間１００における遮音性が長期にわたり確保される。
【実施例３】
【００４８】
以下、本発明を具体化した実施例３について図１０を参照して具体的に説明する。本実施例は図１、図５〜図８を準用する。本実施例においては、実施例１における相手材の枠体３の一部に代えて、相手引き戸本体１Ｃが用いられている。引き戸本体１と相手引き戸本体１Ｃ（相手材）との間における隙間１００を塞ぐ閉鎖手段５が設けられている。
【００４９】
引き戸本体１は、引き戸本体１の閉鎖方向（矢印Ｓ１方向）の端側に形成された戸先端面４３と、引き戸本体１の開放方向（矢印Ｓ２方向）の端側に形成された戸尻端面４４とを有する。更に、引き戸本体１は、戸尻端面４４において開口する戸尻開口４５と、引き戸本体１の第１表面１４において開口する第１表面開口２１及び第２表面開口２２と戸尻開口４５とを引き戸本体１の内部において連通させる連通路４６とを有する。
【００５０】
図１０に示すように、相手引き戸本体１Ｃは、相手引き戸本体１Ｃの閉鎖方向（矢印Ｓ２方向）の端側に形成された戸先端面４３Ｃと、相手引き戸本体１Ｃの開放方向（矢印Ｓ１方向）の端側に形成された戸尻端面４４Ｃとを有する。更に、相手引き戸本体１Ｃは、戸尻端面４４Ｃにおいて開口する戸尻開口４５Ｃと、相手引き戸本体１Ｃの第１表面１４Ｃにおいて開口する第１表面開口２１Ｃ及び第２表面開口２２Ｃと戸尻開口４５Ｃとを相手引き戸本体１Ｃの内部において連通させる連通路４６Ｃとを有する。このような構造が採用されている結果、図１０に示すように、引き戸本体１及び相手引き戸本体１Ｃで仕切られている第１空間４１と第２空間４２との間における換気性が一層確保される。
【００５１】
（他の実施例）
上記した各実施例によれば、相手材としては枠体３や相手引き戸本体１Ｃを用いているが、これに限らず、開口部をもつ建築物、車両等の構造物そのものでも良い。上記した各実施例によれば、第１表面開口２１および第２表面開口２２が引き戸本体１の第１表面１４に形成されているが、引き戸本体１の第２表面１５に形成しても良い。更には、第１表面開口２１および第２表面開口２２を形成しない場合でも良い。また、戸尻端面４４において開口する戸尻開口４５を形成しない形態でも良い。更に、戸尻開口４５と表面開口２１，２２とを引き戸本体１の内部において連通させる連通路４６を形成しない形態でも良い。上記した実施例では、底端面閉鎖手段６および天井端面閉鎖手段７の双方が設けられているが、いずれか一方でも良く、あるいは、設けられていない形態でも良い。上記した各実施例では、第１閉鎖要素５１，５１Ｂ及び第２閉鎖要素５２，５２Ｂの断面形状を三角形状（ほぼ三角形状）や異形四角形状（台形状）としたが、特にこれらの断面形状に限定されるものではない。その他、本発明は上記し且つ図面に示した実施例のみに限定されるものではなく、必要に応じて適宜変更して実施できるものである。
【００５２】
（付記）上記した記載から次の技術的思想が把握される。
・相手材に対してスライド可能に設けられスライドに伴い開口部を開放および閉鎖する引き戸本体を具備する引き戸において、前記引き戸本体は、前記引き戸本体の閉鎖方向の端側に形成された戸先端面と、前記引き戸本体の開放方向の端側に形成された戸尻端面とを有しており、更に、前記引き戸本体は、前記引き戸本体の表面において開口する表面開口と、前記戸尻端面において開口する戸尻開口と、前記戸尻開口と前記表面開口とを引き戸本体の内部において連通させる連通路とを有することを特徴とする引き戸。この場合、引き戸本体の戸尻端面に形成されている戸尻開口と、引き戸本体の内部において連通させる連通路とを利用すれば、引き戸本体の内外換気性を確保しつつ、引き戸本体の表面において開口する表面開口の開口面積を低減させることができる。故に、引き戸本体の表面における意匠選択の自由性が確保される。
【図面の簡単な説明】
【００５３】
【図１】実施例１に係り、引き戸本体を厚み方向に切断した状態を模式的に示す断面図である。
【図２】引き戸本体をこれの開閉方向に切断した状態を模式的に示す断面図である。
【図３】互いに離れている第１閉鎖要素および第２閉鎖要素付近の状態を模式的に示す断面図。
【図４】第１閉鎖要素と第２閉鎖要素とが互いに接触又は密接している状態を模式的に示す断面図である。
【図５】底端面閉鎖手段の底端面閉鎖部材が床面から持ち上げられている状態を模式的に示す構成図である。
【図６】底端面閉鎖手段の底端面閉鎖部材が下降している状態を模式的に示す構成図である。
【図７】天井端面閉鎖手段の天井端面閉鎖部材が引き戸本体の天井端面から持ち上げられている状態を模式的に示す構成図である。
【図８】天井端面閉鎖手段の天井端面閉鎖部材が下降している状態を模式的に示す構成図である。
【図９】実施例２に係り、互いに接触又は密接した状態における第１閉鎖要素および第２閉鎖要素付近の状態を模式的に示す断面図である。
【図１０】実施例３に係り、引き戸本体の第１閉鎖要素と相手引き戸本体の第２閉鎖要素とが接触または密接している状態を模式的に示す断面図である。
【符号の説明】
【００５４】
１は引き戸本体、１４は第１表面、１５は第２表面、３は枠体（相手材）、４３は戸先端面、４４は戸尻端面、４５は戸尻開口、４６は連通路、５は閉鎖手段、５１は第１閉鎖要素、５１０は第１底面、５１２は第１傾斜閉鎖面、５２は第２閉鎖要素、５２０は第２底面、５２２は第２傾斜閉鎖面を示す。
【図１】
2007023537.tif 000003
【図２】
2007023537.tif 000004
【図３】
2007023537.tif 000005
【図４】
2007023537.tif 000006
【図５】
2007023537.tif 000007
【図６】
2007023537.tif 000008
【図７】
2007023537.tif 000009
【図８】
2007023537.tif 000010
【図９】
2007023537.tif 000011
【図１０】
2007023537.tif 000012